(57)【要約】【課題】衣服とタオル、あるいは上衣と下衣の組み合わせ等、複数の洗濯物を同時に掛けた場合であっても、風通しを良くし、洗濯物を早く乾燥させることのできる速乾ハンガーを提供する。【解決手段】  一対のハンガー部材３，４を中央部上端でヒンジ部２を介して開閉自在に連結し、中央部上端にフック５を設け、前記各ハンガー部材３，４は、左右のショルダフレーム６と、左右のショルダフレーム６の下端から水平に延びる水平フレーム７とからなり、水平フレーム７，７間の内側寄りに、複数の横架部材８を折り畳み可能に設け、これら横架部材８，８間の内側寄りに複数の水平バー１０，１０を設ける構成とする。【選択図】図１
0003134544.tif 000002
【実用新案登録請求の範囲】
【請求項１】
一対の開いたハンガー部材を中央部上端で連結し、中央部上端にフックを設け、前記各ハンガー部材は、左右のショルダフレームと、左右のショルダフレームの下端から水平に延びる水平フレームとからなり、水平フレーム間の内側寄りに、複数の横架部材を設け、これら横架部材間の内側寄りに複数の水平バーを設けてなることを特徴とする、速乾ハンガー。
【請求項２】
前記一対のハンガー部材は、中央部上端でヒンジ部を介して開閉自在に連結され、前記複数の横架部材は、水平フレーム間の内側寄りに、折り畳み可能に設けられていることを特徴とする、請求項１記載の速乾ハンガー。
【請求項３】
前記一対のハンガー部材から水平フレームを除去し、一対のハンガー部材のショルダフレーム間に、左右一対の横架部材を設け、これら横架部材間の内側寄りに複数の水平バーを設けてなることを特徴とする、請求項１または請求項２記載の速乾ハンガー。
【考案の詳細な説明】
【技術分野】
【０００１】
本考案は、風通しを良くして濡れた衣服やタオル等を同時に早く乾かすことができる速乾ハンガーに関する。
【背景技術】
【０００２】
従来より、洗濯物の乾燥に用いられるハンガーは、針金やプラスチック素材を成形した簡単なものが使用され、ハンガーに洗濯物を掛けて、天気の良い日は屋外やベランダの物干し竿に吊るし、天気の悪い日は浴室内のロープや室内の鴨居などに吊るし、洗濯物を乾燥させるようにしている。しかしながら、ハンガーに洗濯物を掛けると、衣服の表と裏が互いに密着し、通風が悪くなり、乾燥しにくいという欠点があった。そこで、風通しを良くしたハンガーが提案されている（特許文献１参照）。
【０００３】
【特許文献１】特開２００６−１４１６５９号公報
【考案の開示】
【考案が解決しようとする課題】
【０００４】
しかしながら、上記のハンガーは、衣服やタオル等を単体で掛ける場合に風通しを良くすることができる構造に止まり、衣服とタオル等を同時に掛けると、衣服とタオル等が互いに密着して、当該密着部分では従来のハンガーと同じように乾きが悪いという欠点がある。この欠点は、室内等、狭い空間に多くのハンガーを吊るせない場合において特に問題となる。
【０００５】
本考案は前記課題に鑑みてなされたもので、衣服とタオルの組み合わせ等、複数の洗濯物を同時に掛けた場合であっても、風通しを良くし、洗濯物を早く乾燥させることのできる速乾ハンガーを提供することを目的とする。また、使用しないときは、コンパクトに折り畳んで収納できる、速乾ハンガーを提供することを目的とする。
【課題を解決するための手段】
【０００６】
前記課題を達成するために、本考案に係る請求項１の速乾ハンガーは、
一対の開いたハンガー部材を中央部上端で連結し、中央部上端にフックを設け、前記各ハンガー部材は、左右のショルダフレームと、左右のショルダフレームの下端から水平に延びる水平フレームとからなり、水平フレーム間の内側寄りに、複数の横架部材を設け、これら横架部材間の内側寄りに複数の水平バーを設けてなることを特徴とする。
【０００７】
第１の洗濯物として一対の開いたハンガー部材の外側に衣服を、第２の洗濯物として一対の開いたハンガー部材の内側の横架部材間の複数の水平バー間にタオル、手拭等の衣服以外の洗濯物を、それぞれ掛けて、室外、ベランダの物干し竿、室内の紐等に吊るすことができる。
【０００８】
一対の開いたハンガー部材に掛けられた衣服はその胴部が内側から開いて立体的になり、衣服の内側に上下方向への通風空間が形成される。また、一対のハンガー部材の左右のショルダフレーム間も開いて衣服の肩部が内側から開いて立体的になり、衣服の首部、肩部、袖部の内側にも通風空間が形成される。
【０００９】
一方、水平バー間に掛けられた第２の洗濯物であるタオル、手拭等の衣服以外の洗濯物は、水平バーが水平フレーム間の内側寄りに配置されるから、内側のタオルや手拭等と、外側の衣服とが互いに密着することはなく、両洗濯物の間に上下方向への通風空間が形成される。
【００１０】
これによって、１つのハンガーに、衣服とタオル等を組み合わせて掛けた場合であっても、いずれの洗濯物に対しても通風空間が確保され、風通しが良く、両洗濯物を早く乾燥させることができる。
【００１１】
また、前記一対の開いたハンガーに衣服の上衣を掛けると共に、前記水平バーに衣服の下衣を吊るすようにしてもよい。この場合、複数の水平バーのそれぞれに複数本のクリップを取り付け、下衣の足筒部先端を筒状に立体的に開いてクリップで留めるようにして吊るすと、上衣の内側に下衣を立体的に吊下げ、それぞれの内外に通風空間を確保することができる。
【００１２】
横架部材間の内側寄りに設ける水平バーは２本以上であればよく、３本以上設けることで、水平バーに掛ける洗濯物の数を増やすことができる。但し、余りに多く設けると、洗濯物間の通風空間を確保しにくくなるので、２〜５本程度が望ましい。
【００１３】
本考案に係る請求項２の速乾ハンガーは、
前記一対のハンガー部材を、中央部上端でヒンジ部を介して開閉自在に連結し、前記複数の横架部材を、水平フレーム間の内側寄りに、折り畳み可能に設けたことを特徴とする。
【００１４】
中央部上端のヒンジ部を中心にして一対のハンガー部材を開き、一対のハンガー部材の外側に衣服を、一対のハンガー部材の内側の横架部材間の複数の水平バー間にタオル、手拭等の衣服以外の洗濯物を、それぞれ掛けて、室外、ベランダの物干し竿、室内の紐等に吊るすことができる。
【００１５】
この場合において、１つのハンガーに、衣服とタオル、あるいは上衣と下衣等を組み合わせて掛けた場合であっても、いずれの洗濯物に対しても通風空間が確保され、風通しが良く、両洗濯物を早く乾燥させることができる。
【００１６】
使用しないときは、横架部材を折り畳むと共に、一対のハンガー部材を閉じて、ハンガーを折り畳み、コンパクトに収納することができる。
【００１７】
本考案の請求項３に係る速乾ハンガーは、
前記一対のハンガー部材から水平フレームを除去し、一対のハンガー部材のショルダフレーム間に、左右一対の横架部材を設け、これら横架部材間の内側寄りに複数の水平バーを設けてなることを特徴とする。
【００１８】
水平フレームを除去したことで、ハンガーのフレーム構造を簡素化しながら、一対のハンガー部材に衣服を、複数の水平バー間に第２の洗濯物としてタオル、手拭、ハンカチ等を掛けることができると共に、前記水平バーはハンガー部材の内側寄りに配置されるから、内側の洗濯物と外側の洗濯物との間に隙間を形成して通風空間を確保することができる。
【考案の効果】
【００１９】
以上説明したように、本考案の速乾ハンガーは、一対のハンガー部材を中央部上端で連結し、中央部上端にフックを設け、前記各ハンガー部材は、左右のショルダフレームと、左右のショルダフレームの下端から水平に延びる水平フレームとからなり、水平フレーム間の内側寄りに、複数の横架部材を設け、これら横架部材間の内側寄りに複数の水平バーを設けてなることを特徴とするから、一対のハンガー部材に洗濯後の衣服を立体的に掛けると共に、その内側の水平バー間に下衣や衣服以外のタオル、手拭等の洗濯物を立体的に掛けることができ、また、前記した両洗濯物の間に隙間を形成して両者間にも通風空間を確保することができ、これによって、一つのハンガーに衣服とタオル等の組合せで同時に複数の洗濯物を掛けた場合であっても、風通しを良くし、洗濯物を早く乾燥させることができるという優れた効果を奏する。
【００２０】
また、本考案の速乾ハンガーは、前記一対のハンガー部材を、中央部上端でヒンジ部を介して開閉自在に連結し、前記複数の横架部材を、水平フレーム間の内側寄りに折り畳み可能に設けたことで、使用しないときは、横架部材を折り畳むと共に、一対のハンガー部材を閉じることにより、ハンガーをコンパクトに折り畳むことができ、ハンガーをコンパクトに収納することができるという効果も奏する。
【考案を実施するための最良の形態】
【００２１】
以下、図面を参照して、本考案の実施形態を説明する。図１ないし図３は本考案に係る速乾ハンガーの第１実施形態を示すもので、図１において符号１は速乾ハンガーを示している。
【００２２】
速乾ハンガー１は、中央部上端でヒンジ部２を介して開閉自在に連結された一対のハンガー部材３，４を有する。一方のハンガー部材３の上端には物干し竿や紐に係止可能なフック５が設けられている。各ハンガー部材３，４は、左右のショルダフレーム６，６と、左右のショルダフレーム６，６の下端から水平に延びる水平フレーム７とから、略二等辺三角形状に形成されている。前記ヒンジ部２は、軸受部と同軸受部に回動自在に軸支される連結軸とから構成され、一方のハンガー部材３にいずれか一方が、他方のハンガー部材４に他方が設けられることで、両ハンガー部材３，４が互いに開閉自在に連結されている。
【００２３】
両ハンガー部材３，４の各水平フレーム７，７間には、左右のショルダフレーム６，６の下端よりも内側寄りに、左右一対の互いに平行な横架部材８，８がヒンジ部９によって外側へ向けて折り畳み可能に設けられている。各横架部材８は、図２（イ）に示すように、中央で２つの部材に分割されており、中央下側のヒンジ部９および両端部と各水平フレーム７との間のヒンジ部９によって、図２（イ）から図２（ロ）に示すように、自身を外側へ折り畳むと共に、両ハンガー部材３，４を開状態から閉じることができるようになっている。
【００２４】
なお、横架部材８は、ハンガー部材３，４に対し、折り畳みできる構成であればよく、したがって、例えば、一方の水平フレーム７から他方の水平フレーム７に掛け止めする構成であってもよい。また、横架部材８，８間の、水平フレーム７よりも内側寄りに、同水平フレーム７と平行に延びる複数本（図示例では２本）の水平バー１０，１０が設けられている。
【００２５】
上記構成のハンガーに洗濯物を掛けるには、図１に示すようにヒンジ部２を中心にして両ハンガー部材３，４を開き、横架部材８，８を水平姿勢にする。そして、図３に示すように、水平バー１０，１０間に衣服１１以外の、例えばタオル１２を先に掛ける。その後、両ハンガー部材３，４に衣服（上衣）１１を掛ける。
【００２６】
衣服１１は、両ハンガー部材３，４の左側および右側の各ショルダフレーム６，６間および水平フレーム７，７間が離れて、図３に示すように、その胴部１１ａが内側から開いて立体的になると共に、肩部１１ｂから袖部１１ｂにかけてその内側から開いて立体的になるから、衣服１１の胴部１１ａの内側の上下方向、袖部１１ｂから首部１１ｄにかけて、袖部１１ｂから胴部１１ａにかけて、それぞれ通風空間が確保される。これによって、衣服１１が早く乾燥する。一方、タオル１２も、衣服１１との間に通風空間が確保され、早く乾燥する。
【００２７】
図４は、本発明の速乾ハンガーの第２実施形態を示すもので、符号１３は速乾ハンガーを示している。なお、本実施形態において、図１と同一部材には同一符号を付してその説明を省略する。
【００２８】
本実施形態の速乾ハンガー１３は、両ハンガー部材３，４の水平フレーム部分を除去すると共に、左側のショルダフレーム６，６の下端間および右側のショルダフレーム６，６の下端間に、それぞれヒンジ部９により折り畳み可能な横架部材８を設け、両横架部材８，８間の、ショルダフレーム６の下端よりも内側寄りに２本の互いに平行な水平バー１０，１０を設けるようにしたものである。
【００２９】
本実施形態の速乾ハンガー１３によると、図示しないが、内側の２本の水平バー１０，１０間に例えばタオルを掛けると共に、その外側の一対のハンガー本体３，４に衣服を掛けることができる。第１実施形態と同様に、衣服とタオルとの間には上下方向の通風空間が確保されるので、それぞれに対する風通しがよく、衣服とタオルを早く乾燥させることができる。また、本実施形態の速乾ハンガー１３は、第１実施形態の速乾ハンガー１における水平フレーム６，６が除去されているので、機能は同一でありながら、速乾ハンガーの構成をより簡素化することができる。
【００３０】
以上の実施形態では、衣服１１とタオル１２の組合せについて説明したが、上衣と下衣の組合せであっても良い。例えば、水平バー１０，１０のそれぞれに複数本のクリップを取り付け、下衣の足筒部先端を筒状に立体的に開いてクリップで留めるようにして吊るすと、上衣の内側に下衣を立体的に吊下げ、それぞれの内外に通風空間を確保することができる。なお、上衣と下衣は下着の上衣とズボン下の組合せであっても良い。
【００３１】
また、以上の実施形態では、折り畳み可能な速乾ハンガーについて説明したが、一対の開いたハンガー部材がそのまま固定式とされた速乾ハンガーであっても良い。この場合、各ヒンジ部を設ける必要がないので、構造的にシンプルとなり、製作コストをより低廉化することができる。
【００３２】
さらに、水平バー１０の数を３本以上に増やすことにより、ハンガー部材の内寄りに掛ける洗濯物の数を増やすこともできる。
【産業上の利用可能性】
【００３３】
本考案に係る速乾ハンガーは、衣服とタオル等あるいは上衣と下衣を同時に掛けた状態で、風通しをよくし、両洗濯物を早く乾燥させることのできるハンガーとして、広く利用することができる。
【図面の簡単な説明】
【００３４】
【図１】本考案の第１実施形態を示す速乾ハンガーの斜視図である。
【図２】（イ）は図２に示す速乾ハンガーの側面図、（ロ）は同速乾ハンガーを閉じた状態を示す側面図である。
【図３】図１の速乾ハンガーに衣服とタオルを掛けて乾燥させる様子を示す斜視図である。
【図４】本考案の第２実施形態を示す速乾ハンガーの斜視図である。
【符号の説明】
【００３５】
１，１３  速乾ハンガー
２，９  ヒンジ部
３，４  ハンガー部材
５  フック
６  ショルダフレーム
７  水平フレーム
８  横架部材
１０  水平バー
１１  衣服
１２  タオル
【図１】
0003134544.tif 000003
【図２】
0003134544.tif 000004
【図３】
0003134544.tif 000005
【図４】
0003134544.tif 000006